(57)【要約】【課題】空調装置に装備される排水ポンプの回転羽根の振動・騒音の低減を図る。【解決手段】回転羽根１００は大径羽根１５０、小径羽根１２０、リング部材１３０を有し、矢印Ｒ1方向に回転する。大径羽根１５０の後側に第１の大径補助羽根１６０、第２の大径補助羽根１７０を備える。大径羽根１５０、第１の大径補助羽根１６０、第２の大径補助羽根１７０の上面１５２、１６２、１７２は段々に低く形成される。水流Ｆはスムーズに流れてキャビテーションの発生は抑制される。【選択図】図２
2014211098.tif 000002
【特許請求の範囲】
【請求項１】
モータと、該モータの出力軸に連結される回転羽根と、該回転羽根を収容するハウジングとを有し、前記ハウジングは下部に設けられる吸込口及び側部に設けられる吐出口を備える排水ポンプであって、
前記回転羽根は、前記モータの出力軸に連結される軸部と、該軸部から放射方向に延びる板状の大径羽根と、大径羽根の回転方向後側に形成される大径羽根と同様の厚さ寸法を有する複数の大径補助羽根と、該大径羽根と連結される板状の小径羽根と、前記大径羽根の外周部を連結するリング部材と、該リング部材の下端部に連結される中心側に設けられる円形の開口部を有する皿状部材とを備え、
大径羽根に続く大径補助羽根は大径羽根に平行に配設されるとともに、上端は段々に低く形成されることを特徴とする排水ポンプ。
【請求項２】
大径羽根と大径羽根に続く大径補助羽根は上面が直線に沿って削られる形状で段々に低く形成されることを特徴とする請求項１記載の排水ポンプ。
【請求項３】
大径羽根と大径羽根に続く大径補助羽根は上面が円弧に沿って削られる形状で段々に低く形成されることを特徴とする請求項１記載の排水ポンプ。
【請求項４】
大径羽根の上面のリーディングエッジは平坦面を有することを特徴とする請求項２又は３記載の排水ポンプ。
【請求項５】
大径羽根に続く大径補助羽根は２枚であることを特徴とする請求項１乃至４のいずれかに記載の排水ポンプ。
【請求項６】
大径羽根に続く大径補助羽根は１枚であることを特徴とする請求項１乃至４のいずれかに記載の排水ポンプ。
【請求項７】
大径羽根の複数枚は軸部から皿状部材開口部の間でオフセットされる傾斜部を有することを特徴とする請求項１乃至６のいずれかに記載の排水ポンプ。
【発明の詳細な説明】
【技術分野】
【０００１】
本発明は、特には空調機に装備される排水ポンプに関する。
【背景技術】
【０００２】
空調機の室内ユニットにおいては、冷房運転時に空気中の水分が凝縮して熱交換器に付着し、水滴が熱交換器の下方に設けられるドレンパン内に滴下する。このドレンパン内に溜まったドレン水を屋外に排水するために排水ポンプが室内ユニットに装備される。この排水ポンプの一例として、下端部に吸込口が設けられると共に側部に吐出口が設けられたハウジング内に回転羽根を回転自在に設け、ハウジングの上部開口にカバーを介して固定したモータにより回転羽根を回転させるものがある。モータを駆動して回転羽根を回転させると、ドレンパン内に貯留したドレン水は吸込口から吸い込まれ、ハウジング内面に沿って揚水され、ハウジングの吐出口から外部に吐出される。
【先行技術文献】
【特許文献】
【０００３】
【特許文献１】特開平５−３１２１８７号公報
【発明の概要】
【発明が解決しようとする課題】
【０００４】
空調機用の排水ポンプは遠心ポンプの一種であるが、揚程を大きくするために回転数を増加させると、強い乱流となってキャビテーションが発生し、騒音・振動が増加する。
このキャビテーションを防止するためには、羽根を曲面や斜面とする技術が知られており、特許文献１はこの技術を開示している。
しかし、特許文献１に示すような羽根形状では、回転羽根としての射出成型性に問題を生じ、射出成型時に肉厚が不均一となって回転バランスが悪くなり、騒音や振動の不具合の原因となる。
そこで、本発明の目的は、上述した不具合を解消する排水ポンプを提供することである。
【課題を解決するための手段】
【０００５】
本発明の排水ポンプは、基本的構成として、モータと、該モータの出力軸に連結される回転羽根と、該回転羽根を収容するハウジングとを有し、前記ハウジングは下部に設けられる吸込口及び側部に設けられる吐出口を備えている。
【０００６】
そして、前記回転羽根は、前記モータの出力軸に連結される軸部と、該軸部から放射方向に延びる板状の大径羽根と、大径羽根の回転方向後側に形成される大径羽根と同様の厚さ寸法を有する複数の大径補助羽根と、該大径羽根と連結される板状の小径羽根と、前記大径羽根の外周部を連結するリング部材と、該リング部材の下端部に連結される中心側に設けられる円形の開口部を有する皿状部材とを備える。大径羽根に続く大径補助羽根は大径羽根に平行に配設されるとともに、上端は段々に低く形成される。
【図面の簡単な説明】
【０００７】
【図１】本発明の一実施形態の排水ポンプの一部断面正面図である。
【図２】同上排水ポンプの回転羽根を示し、（ａ）は斜視図、（ｂ）は平面図、（ｃ）は（ｂ）のＡ−Ａ断面図である。
【図３】本発明の排水ポンプの回転羽根の他の実施形態を示し、（ａ）は斜視図、（ｂ）は平面図、（ｃ）は（ｂ）のＡ−Ａ断面図である。
【図４】本発明の排水ポンプの回転羽根の更に他の実施形態を示し、（ａ）は斜視図、（ｂ）は平面図、（ｃ）は（ｂ）のＡ−Ａ断面図である。
【図５】本発明の排水ポンプの回転羽根の更に他の実施態様を示す平面図である。
【発明を実施するための形態】
【０００８】
図１に本発明の一実施形態の排水ポンプを示す。
排水ポンプ１は樹脂製のハウジング１０を有し、ハウジング１０はポンプ室１２に連通する吸込口１４と吐出口１６を備える。ハウジング１０にはカバー２０の蓋部２６がスナップフィット機構により嵌合される。
【０００９】
カバー２０は外筒部２２と内筒部２４を有し、カバー２０の上部には係止部４０を介してブラケット５０が取り付けられる。ブラケット５０は排水ポンプ１を他の機器に取り付けるための取付部５２を有する。
カバー２０の内筒部２４はモータ６０を支持し、モータ６０の駆動軸６２はハウジング１０のポンプ室１２内に配置された回転羽根１００の取付軸１１０の挿入穴１１２内に挿入されて回転羽根１００を支持する。回転羽根１００の取付軸１１０はカバー２０の蓋部２６の貫通穴２８を貫通し、駆動軸６２には貫通穴２８から飛び出す水がモータ６０側に飛散するのを防止する水切板７０が取り付けられている。
【００１０】
本発明の排水ポンプ１に装備される回転羽根１００の詳細を図２に示す。（ａ）は斜視図、（ｂ）は平面図、（ｃ）は（ｂ）のＡ−Ａ断面図である。
回転羽根１００は挿入穴１１２を有する取付軸１１０の下部に小径羽根１２０を備える。取付軸１１０の上部にはリング部材１３０が形成され、リング部材１３０内には大径羽根１５０が設けられる。この回転羽根１００にあっては、８本の大径羽根１５０を備えるが、大径羽根１５０の本数は８本に限定されず、適宜に選択される。リング部材１３０の外周のリング部と底部の皿状部を有し、皿状部の中心には小径羽根１２０側へ通ずる開口部１３２が設けられる。
【００１１】
回転羽根１００は図２（ｂ）の矢印Ｒ１方向に回転する。開口部１３２の外周部からリング部の内径部の間は、直線状または曲線状の羽根で結ばれる。
回転羽根１００にあっては、大径羽根１５０の回転方向の後側に続く第１の大径補助羽根１６０と第２の大径補助羽根１７０が配設される。
この第１の大径補助羽根１６０と第２の大径補助羽根１７０は、板状の部材であって大径羽根１５０と平行に配置され、大径羽根１５０に均しい厚さ寸法Ｔ１に形成される。また、第１の大径補助羽根１６０、第２の大径補助羽根１７０の内側端は他の部材に接続されないが、外側端はリング部材１３０に接続される。
【００１２】
回転羽根１００は樹脂材料を射出成型して製造される。上述した構成を備えることにより、金型内での樹脂の流動も円滑であって、成型不良などが防止される。
回転羽根１００が回転すると、図２（ｃ）で示すように、大径羽根１５０の前面から第１の大径補助羽根１６０、第２の大径補助羽根１７０の側への流れＦが発生する。
大径羽根１５０の前面の水圧Ｐ１に比べて第２の大径補助羽根１７０の後側の水圧Ｐ２は低くなる。
【００１３】
回転羽根１００にあっては、大径羽根１５０の上面１５２、第１の大径補助羽根１６０の上面１６２、第２の大径補助羽根１７０の上面１７２は、直線的に段々に低くなるように形成されている。
大径羽根１５０前面の圧力Ｐ１と後流側の大径羽根１５０後面の圧力Ｐ２は圧力差が大きく、後流側にキャビテーションが発生し易いが、第１の大径補助羽根１６０、第２の大径補助羽根１７０の順に上端を徐々に低くすることにより水流Ｆがスムーズに流れ、Ｐ１からＰ２の圧力差が徐々に緩和され、キャビテーションの発生が低減される。
この作用により、排水ポンプ１の運転時の振動と騒音は低減される。
大径羽根１５０の上端面のリーディングエッジ１５４は平坦面に形成されており、大径羽根１５０を乗り越える水流Ｆをスムーズに案内する。
【００１４】
図３に本発明の排水ポンプの回転羽根の他の実施態様を示す。（ａ）は斜視図、（ｂ）は平面図、（ｃ）は（ｂ）のＡ−Ａ断面図である。
回転羽根２００は、挿入穴２１２を有する取付軸２１０の下部に小径羽根２２０を備える。取付軸２１０の上部にはリング部材２３０が形成され、リング部材２３０内には大径羽根２５０が設けられる。この回転羽根２００にあっては、８本の大径羽根２５０を備えるが、大径羽根２５０の本数は８本に限定されず、適宜に選択される。リング部材２３０の外周のリング部と底部の皿状部を有し、皿状部の中心には小径羽根２２０側へ通ずる開口部２３２が設けられる。
【００１５】
回転羽根２００は図３（ｂ）の矢印Ｒ１方向に回転する。開口部２３２の外周部からリング部の内径部の間は、直線状または曲線状の羽根で結ばれる。
回転羽根２００にあっては、大径羽根２５０の回転方向の後側に続く第１の大径補助羽根２６０と第２の大径補助羽根２７０が配設される。
この回転羽根２００にあっては、大径羽根２５０の上面２５２、第１の大径補助羽根２６０の上面２６２、第２の大径補助羽根２７０の上面２７２は、円弧に沿って削られる形態で、段々に低くなるように形成されている。
【００１６】
水流は大径羽根２５０側から第２の大径補助羽根２７０側にスムーズに流れて、大径羽根２５０の後流側に発生しがちなキャビテーションの発生が抑制される。
この作用により、排水ポンプ１の運転時の振動と騒音は低減される。
大径羽根２５０の上端面のリーディングエッジ２５４は平坦面に形成されており、大径羽根２５０を乗り越える水流Ｆをスムーズに案内する。
【００１７】
図４に本発明の排水ポンプの回転羽根の更に他の実施態様を示す。（ａ）は斜視図、（ｂ）は平面図、（ｃ）は（ｂ）のＡ−Ａ断面図である。
回転羽根３００は、挿入穴３１２を有する取付軸３１０の下部に小径羽根３２０を備える。取付軸３１０の上部にはリング部材３３０が形成され、リング部材３３０内には大径羽根３５０が設けられる。この回転羽根３００にあっては、８本の大径羽根３５０を備えるが、大径羽根３５０の本数は８本に限定されず、適宜に選択される。リング部材３３０の外周のリング部と底部の皿状部を有し、皿状部の中心には小径羽根３２０側へ通ずる開口部３３２が設けられる。
【００１８】
回転羽根３００は図４（ｂ）の矢印Ｒ１方向に回転する。開口部３３２の外周部からリング部の内径部の間は、直線状または曲線状の羽根で結ばれる。
回転羽根３００にあっては、大径羽根３５０の回転方向の後側に続く大径補助羽根３６０が配設される。
この回転羽根３００にあっては、大径羽根３５０の上面３５２、大径補助羽根３６０の上面３６２は、段々に低くなるように形成されている。
【００１９】
水流は大径羽根３５０側から大径補助羽根３７０側にスムーズに流れて、大径羽根３５０の後流側に発生しがちなキャビテーションの発生が抑制される。
この作用により、排水ポンプ１の運転時の振動と騒音は低減される。
【００２０】
図５に本発明の排水ポンプの回転羽根の更に他の実施態様を示す。
回転羽根４００は挿入穴４１２を有する取付軸４１０の下部に小径羽根を備える。取付軸４１０の上部にはリング部材４３０が形成され、リング部材４３０内には大径羽根４５０が設けられる。この回転羽根４００にあっては、８本の大径羽根４５０を備えるが、大径羽根４５０の本数は８本に限定されず、適宜に選択される。リング部材４３０の外周のリング部と底部の皿状部を有し、皿状部の中心には小径羽根側へ通ずる開口部４３２が設けられる。
【００２１】
回転羽根４００は図５の矢印Ｒ１方向に回転する。開口部４３２の外周部からリング部の内径部の間は、直線状または曲線状の羽根で結ばれる。
回転羽根４００にあっては、大径羽根４５０の回転方向の後側に続く第１の大径補助羽根４６０と第２の大径補助羽根４７０が配設される。
この回転羽根４００にあっては、大径羽根４５０の上面、第１の大径補助羽根４６０の上面、第２の大径補助羽根４７０の上面は、先の実施例で説明したように、直線又は円弧に沿って、段々に低くなるように形成されている。
【００２２】
水流は大径羽根４５０側から第２の大径補助羽根４７０側にスムーズに流れて、大径羽根２５０の後流側に発生しがちなキャビテーションの発生が抑制される。
この作用により、排水ポンプ１の運転時の振動と騒音は低減される。
本発明の排水ポンプは、以上の構成を有する回転羽根を備えることにより、運転時の振動と騒音発生を抑制することができる。
【符号の説明】
【００２３】
１  排水ポンプ
１２  ポンプ室
１４  吸込口
１６  吐出口
２０  カバー
２６  蓋部
５０  ブラケット
６０  モータ
６２  駆動軸
１００  回転羽根
１１０  取付軸
１２０  小径羽根
１３０  リング部材
１３２  開口部
１５０  大径羽根
１６０  第１の大径補助羽根
１７０  第２の大径補助羽根
【図１】
2014211098.tif 000003
【図２】
2014211098.tif 000004
【図３】
2014211098.tif 000005
【図４】
2014211098.tif 000006
【図５】
2014211098.tif 000007